(57)【特許請求の範囲】
【請求項１】
複数のＬＥＤランプの点灯を制御するための車載用ＬＥＤ点灯制御装置であって、
一端が電源端子に接続され、他端が入力端子に接続されたメインスイッチと、
第１のＬＥＤランプの点灯と消灯との切り換えを制御するとともに、第２のＬＥＤランプの点灯と消灯との切り換えを制御するための制御スイッチと、
前記入力端子から供給される電源電圧を変換した駆動電圧を出力端子に出力する変換部と、
前記変換部から前記出力端子を介して前記駆動電圧が供給され、前記駆動電圧に基づいた第１のＬＥＤ電流の第１のＬＥＤ端子を介した前記第１のＬＥＤランプへの供給を制御することにより、前記第１のＬＥＤランプの点灯と消灯を切り換える第１のＬＥＤ制御部と、
前記変換部から前記出力端子を介して前記駆動電圧が供給され、前記駆動電圧に基づいた第２のＬＥＤ電流の第２のＬＥＤ端子を介した前記第２のＬＥＤランプへの供給を制御することにより、前記第２のＬＥＤランプの点灯と消灯を切り換える第２のＬＥＤ制御部と、
前記入力端子から前記電源電圧が供給されて動作すると、起動信号により前記変換部の動作を開始させるとともに、前記制御スイッチの操作状態に基づいて、第１の制御信号により前記第１のＬＥＤ制御部の動作を制御し、且つ、第２の制御信号により前記第２のＬＥＤ制御部の動作を制御する、メイン制御部と、を備える
ことを特徴とする車載用ＬＥＤ点灯制御装置。
【請求項２】
前記制御スイッチは、
前記第１のＬＥＤランプの点灯と消灯との切り換えを制御するための第１の制御スイッチと、
前記第２のＬＥＤランプの点灯と消灯との切り換えを制御するための第２の制御スイッチと、を含み、
前記メイン制御部は、
前記第１の制御スイッチの操作状態に基づいて、第１の制御信号により前記第１のＬＥＤ制御部の動作を制御し、且つ、前記第２の制御スイッチの操作状態に基づいて、第２の制御信号により前記第２のＬＥＤ制御部の動作を制御する
ことを特徴とする請求項１に記載の車載用ＬＥＤ点灯制御装置。
【請求項３】
前記第１の制御スイッチ及び前記第２の制御スイッチの一端は、前記入力端子に接続され、前記第１の制御スイッチ及び前記第２の制御スイッチの他端は、前記メイン制御部に接続され、
前記メイン制御部は、前記第１の制御スイッチ及び前記第２の制御スイッチの他端の電圧に基づいて、前記第１の制御スイッチ及び前記第２の制御スイッチのオン状態若しくはオフ状態を検出する
ことを特徴とする請求項２に記載の車載用ＬＥＤ点灯制御装置。
【請求項４】
前記第１の制御スイッチ及び前記第２の制御スイッチの一端は、固定電位に接続され、前記第１の制御スイッチ及び前記第２の制御スイッチの他端は、前記メイン制御部に接続され、
前記メイン制御部は、
前記第１の制御スイッチ及び前記第２の制御スイッチの他端の電圧に基づいて、前記第１の制御スイッチ及び前記第２の制御スイッチのオン状態若しくはオフ状態を検出する
ことを特徴とする請求項２に記載の車載用ＬＥＤ点灯制御装置。
【請求項５】
前記制御スイッチは、さらに、第３のＬＥＤランプの点灯と消灯との切り換えを制御するとともに、第４のＬＥＤランプの点灯と消灯との切り換えを制御するためのものであり、
前記車載用ＬＥＤ点灯制御装置は、
前記駆動電圧が供給され、前記駆動電圧に基づいた第３のＬＥＤ電流の第３のＬＥＤ端子を介した前記第３のＬＥＤランプへの供給を制御することにより、前記第３のＬＥＤランプの点灯と消灯を切り換える第３のＬＥＤ制御部と、
前記駆動電圧が供給され、前記駆動電圧に基づいた第４のＬＥＤ電流の第４のＬＥＤ端子を介した前記第４のＬＥＤランプへの供給を制御することにより、前記第４のＬＥＤランプの点灯と消灯を切り換える第４のＬＥＤ制御部と、をさらに備え、
前記メイン制御部は、前記制御スイッチの操作状態に基づいて、さらに、第３の制御信号により前記第３のＬＥＤ制御部の動作を制御し、且つ、第４の制御信号により前記第４のＬＥＤ制御部の動作を制御する
ことを特徴とする請求項２ないし４のいずれか一項に記載の車載用ＬＥＤ点灯制御装置。
【請求項６】
前記変換部は、
アノードが前記電源端子に接続された第１のダイオードと、
一端が前記第１のダイオードのカソードに接続され、他端が固定電位に接続された第１のコンデンサと、
ソースが前記第１のダイオードのカソードに接続された第１のＭＯＳトランジスタと、
前記第１のＭＯＳトランジスタのドレインの電圧から前記駆動電圧を生成して前記出力端子に出力する電圧生成部と、
前記出力端子の前記駆動電圧を分圧した分圧電圧を出力する分圧回路と、
前記分圧電圧に基づいたフィードバック信号を出力するフィードバック制御部と、
前記起動信号により動作を開始し、前記フィードバック信号に基づいて、前記第１のＭＯＳトランジスタをＰＷＭ制御するＰＷＭ制御部と、
を備える
ことを特徴とする請求項２ないし５のいずれか一項に記載の車載用ＬＥＤ点灯制御装置。  
【請求項７】
前記第１のＬＥＤ制御部は、
一端が前記出力端子に接続された第１の抵抗と、
カソードが前記第１の抵抗の他端に接続され、アノードが前記固定電位に接続されたツェナーダイオードと、
一端が前記出力端子に接続された第２の抵抗と、
前記第１の抵抗の他端の電圧と前記第２の抵抗の他端の電圧とを比較し、この比較結果に基づいた信号を出力する比較器と、
ソースが前記第２の抵抗の他端に接続され、ドレインが前記第１のＬＥＤ端子に接続された第２のＭＯＳトランジスタと、
コレクタが前記第２のＭＯＳトランジスタのゲートに接続され、エミッタが前記固定電位に接続され、ベースが前記比較器の出力に接続された第１のバイポーラトランジスタと
、
コレクタが前記比較器の出力に接続され、エミッタが前記固定電位に接続され、ベースに前記第１の制御信号が印加される第２のバイポーラトランジスタと、を備える
ことを特徴とする請求項６に記載の車載用ＬＥＤ点灯制御装置。
【請求項８】
前記メインスイッチ、前記第１の制御スイッチ、及び、前記第２の制御スイッチは、ユーザーによりオン／オフが操作されるようになっている
ことを特徴とする請求項２ないし７のいずれか一項に記載の車載用ＬＥＤ点灯制御装置。
【請求項９】
前記第１のＬＥＤランプは、二輪車の第１のウインカーであり、
前記第２のＬＥＤランプは、前記二輪車の第２のウインカーである
ことを特徴とする請求項１ないし８のいずれか一項に記載の車載用ＬＥＤ点灯制御装置。
【請求項１０】
前記車載用ＬＥＤ点灯制御装置は、前記二輪車に積載されていることを特徴とする請求項９記載の車載用ＬＥＤ点灯制御装置。
【請求項１１】
前記第２のＬＥＤ制御部は、前記第１のＬＥＤ制御部と同様の回路構成を有することを特徴とする請求項２ないし１０のいずれか一項に記載の車載用ＬＥＤ点灯制御装置。
【請求項１２】
前記比較器は、非反転入力端子が前記第２の抵抗の他端に接続され、反転入力端子が前記第１の抵抗の一端に接続され、出力が前記第１のバイポーラトランジスタのベースに接続されたオペアンプまたはコンパレータであることを特徴とする請求項７に記載の車載用ＬＥＤ点灯制御装置。
【請求項１３】
前記車載用ＬＥＤ点灯制御装置は、
複数の前記第１のＬＥＤランプ及び複数の前記第２のＬＥＤランプを制御するようになっており、
１つの前記第１のＬＥＤ制御部が前記複数の第１のＬＥＤランプを制御し、
１つの前記第２のＬＥＤ制御部が前記複数の第２のＬＥＤランプを制御することを特徴とする請求項１ないし１２のいずれか一項に記載の車載用ＬＥＤ点灯制御装置。
【請求項１４】
前記変換部は、降圧コンバータ、昇圧スイッチングレギュレータ、シリーズレギュレータ、絶縁型コンバータ、又は、非絶縁型コンバータの何れかである
ことを特徴とする請求項１ないし１３のいずれか一項に記載の車載用ＬＥＤ点灯制御装置。
【請求項１５】
複数のＬＥＤランプの点灯を制御するための車載用ＬＥＤ点灯制御装置であって、一端が電源端子に接続され、他端が入力端子に接続されたメインスイッチと、第１のＬＥＤランプの点灯と消灯との切り換えを制御するとともに、第２のＬＥＤランプの点灯と消灯との切り換えを制御するための制御スイッチと、前記入力端子から供給される電源電圧を変換した駆動電圧を出力端子に出力する変換部と、前記変換部から前記出力端子を介して前記駆動電圧が供給され、前記駆動電圧に基づいた第１のＬＥＤ電流の第１のＬＥＤ端子を介した前記第１のＬＥＤランプへの供給を制御することにより、前記第１のＬＥＤランプの点灯と消灯を切り換える第１のＬＥＤ制御部と、前記変換部から前記出力端子を介して前記駆動電圧が供給され、前記駆動電圧に基づいた第２のＬＥＤ電流の第２のＬＥＤ端子を介した前記第２のＬＥＤランプへの供給を制御することにより、前記第２のＬＥＤランプの点灯と消灯を切り換える第２のＬＥＤ制御部と、メイン制御部と、を備える車載用ＬＥＤ点灯制御装置の制御方法であって、
前記メイン制御部が前記入力端子から前記電源電圧が供給されて動作すると、前記メイン制御部が、起動信号により前記変換部の動作を開始させるとともに、前記制御スイッチの操作状態に基づいて、第１の制御信号により前記第１のＬＥＤ制御部の動作を制御し、
且つ、第２の制御信号により前記第２のＬＥＤ制御部の動作を制御するものであり、
前記第１のＬＥＤ制御部は、前記変換部から前記出力端子を介して前記駆動電圧が供給され、前記駆動電圧に基づいた第１のＬＥＤ電流の第１のＬＥＤ端子を介した前記第１のＬＥＤランプへの供給を制御することにより、前記第１のＬＥＤランプの点灯と消灯を切り換え、
前記第２のＬＥＤ制御部は、前記変換部から前記出力端子を介して前記駆動電圧が供給され、前記駆動電圧に基づいた第２のＬＥＤ電流の第２のＬＥＤ端子を介した前記第２のＬＥＤランプへの供給を制御することにより、前記第２のＬＥＤランプの点灯と消灯を切り換える
ことを特徴とする車載用ＬＥＤ点灯制御装置の制御方法。
【発明の詳細な説明】
【技術分野】
【０００１】
本発明は、車載用ＬＥＤ点灯制御装置、及び、車載用ＬＥＤ点灯制御装置の制御方法に関する発明である。
【背景技術】
【０００２】
従来、例えば、特開２００６−４９４２３号公報、特開２０１４−２１４６０６号公報等には、複数のＬＥＤランプの点灯を制御するための車載用ＬＥＤ点灯制御装置が知られている。【０００３】
このような従来の車載用ＬＥＤ点灯制御装置は、複数のＬＥＤランプに所定の電流値の駆動電流が供給されるように制御するために、各ＬＥＤランプに対して、電源電圧を変換する変換部と、変換された駆動電圧に基づいてＬＥＤ電流を定電流制御する制御部とが設けられている（図５）。【０００４】
このように、従来の車載用ＬＥＤ点灯制御装置では、各ＬＥＤランプが同じ構成を有していても、各ＬＥＤランプに対して、変換部と制御部とが設けられているため、小型化を図ることができない問題がある。
【先行技術文献】
【特許文献】
【０００５】
【特許文献１】特開２００６−４９４２３号公報、
【特許文献２】特開２０１４−２１４６０６号公報
【発明の開示】
【発明が解決しようとする課題】
【０００６】
そこで、本発明では、電源電圧を変換する変換部を複数のＬＥＤランプに対して共有化して小型化を図るとともに、所定のＬＥＤ電流を各ＬＥＤランプに供給することが可能な車載用ＬＥＤ点灯制御装置を提供することを目的とする。  
【課題を解決するための手段】
【０００７】
本発明の一態様に係る実施形態に従った車載用ＬＥＤ点灯制御装置は、  
複数のＬＥＤランプの点灯を制御するための車載用ＬＥＤ点灯制御装置であって、
一端が電源端子に接続され、他端が入力端子に接続されたメインスイッチと、
第１のＬＥＤランプの点灯と消灯との切り換えを制御するとともに、第２のＬＥＤランプの点灯と消灯との切り換えを制御するための制御スイッチと、
前記入力端子から供給される電源電圧を変換した駆動電圧を出力端子に出力する変換部と、
前記駆動電圧が供給され、前記駆動電圧に基づいた第１のＬＥＤ電流の第１のＬＥＤ端子を介した前記第１のＬＥＤランプへの供給を制御することにより、前記第１のＬＥＤランプの点灯と消灯を切り換える第１のＬＥＤ制御部と、
前記駆動電圧が供給され、前記駆動電圧に基づいた第２のＬＥＤ電流の第２のＬＥＤ端子を介した前記第２のＬＥＤランプへの供給を制御することにより、前記第２のＬＥＤランプの点灯と消灯を切り換える第２のＬＥＤ制御部と、
前記入力端子から前記電源電圧が供給されて動作すると、起動信号により前記変換部の動作を開始させるとともに、前記制御スイッチの操作状態に基づいて、第１の制御信号により前記第１のＬＥＤ制御部の動作を制御し、且つ、第２の制御信号により前記第２のＬＥＤ制御部の動作を制御する、メイン制御部と、を備える
ことを特徴とする。【０００８】
前記車載用ＬＥＤ点灯制御装置において、
前記制御スイッチは、
前記第１のＬＥＤランプの点灯と消灯との切り換えを制御するための第１の制御スイッチと、
前記第２のＬＥＤランプの点灯と消灯との切り換えを制御するための第２の制御スイッチと、を含み、
前記メイン制御部は、
前記第１の制御スイッチの操作状態に基づいて、第１の制御信号により前記第１のＬＥＤ制御部の動作を制御し、且つ、前記第２の制御スイッチの操作状態に基づいて、第２の制御信号により前記第２のＬＥＤ制御部の動作を制御する
ことを特徴とする。【０００９】
前記車載用ＬＥＤ点灯制御装置において、  
前記第１の制御スイッチ及び前記第２の制御スイッチの一端は、前記入力端子に接続され、前記第１の制御スイッチ及び前記第２の制御スイッチの他端は、前記メイン制御部に接続され、
前記メイン制御部は、前記第１の制御スイッチ及び前記第２の制御スイッチの他端の電圧に基づいて、前記第１の制御スイッチ及び前記第２の制御スイッチのオン状態若しくはオフ状態を検出する
ことを特徴とする。【００１０】
前記車載用ＬＥＤ点灯制御装置において、
前記第１の制御スイッチ及び前記第２の制御スイッチの一端は、固定電位に接続され、前記第１の制御スイッチ及び前記第２の制御スイッチの他端は、前記メイン制御部に接続され、
前記メイン制御部は、
前記第１の制御スイッチ及び前記第２の制御スイッチの他端の電圧に基づいて、前記第１の制御スイッチ及び前記第２の制御スイッチのオン状態若しくはオフ状態を検出する
ことを特徴とする。【００１１】
前記車載用ＬＥＤ点灯制御装置において、
前記制御スイッチＳＷは、さらに、第３のＬＥＤランプの点灯と消灯との切り換えを制御するとともに、第４のＬＥＤランプの点灯と消灯との切り換えを制御するためのものであり、
前記車載用ＬＥＤ点灯制御装置は、
前記駆動電圧が供給され、前記駆動電圧に基づいた第３のＬＥＤ電流の第３のＬＥＤ端子を介した前記第３のＬＥＤランプへの供給を制御することにより、前記第３のＬＥＤランプの点灯と消灯を切り換える第３のＬＥＤ制御部と、
前記駆動電圧が供給され、前記駆動電圧に基づいた第４のＬＥＤ電流の第４のＬＥＤ端子を介した前記第４のＬＥＤランプへの供給を制御することにより、前記第４のＬＥＤランプの点灯と消灯を切り換える第４のＬＥＤ制御部と、をさらに備え、
前記メイン制御部Ａは、前記制御スイッチＳＷの操作状態に基づいて、さらに、第３の制御信号Ｂ１ｂにより前記第３のＬＥＤ制御部の動作を制御し、且つ、第４の制御信号により前記第４のＬＥＤ制御部の動作を制御する
ことを特徴とする。【００１２】
前記車載用ＬＥＤ点灯制御装置において、
前記変換部は、
アノードが前記電源端子に接続された第１のダイオードと、
一端が前記第１のダイオードのカソードに接続され、他端が固定電位に接続された第１のコンデンサと、
ソースが前記第１のダイオードのカソードに接続された第１のＭＯＳトランジスタと、
前記第１のＭＯＳトランジスタのドレインの電圧から前記駆動電圧を生成して前記出力端子に出力する電圧生成部と、
前記出力端子の前記駆動電圧を分圧した分圧電圧を出力する分圧回路と、
前記分圧電圧に基づいたフィードバック信号を出力するフィードバック制御部と、
前記起動信号により動作を開始し、前記フィードバック信号に基づいて、前記第１のＭＯＳトランジスタをＰＷＭ制御するＰＷＭ制御部と、
を備える
ことを特徴とする。  
前記車載用ＬＥＤ点灯制御装置において、
前記第１のＬＥＤ制御部は、
一端が前記出力端子に接続された第１の抵抗と、
カソードが前記第１の抵抗の他端に接続され、アノードが前記固定電位に接続されたツェナーダイオードと、
一端が前記出力端子に接続された第２の抵抗と、
前記第１の抵抗の他端の電圧と前記第２の抵抗の他端の電圧とを比較し、この比較結果に基づいた信号を出力する比較器と、
ソースが前記第２の抵抗の他端に接続され、ドレインが前記第１のＬＥＤ端子に接続された第２のＭＯＳトランジスタと、
コレクタが前記第２のＭＯＳトランジスタのゲートに接続され、エミッタが前記固定電位に接続され、ベースが前記比較器の出力に接続された第１のバイポーラトランジスタと、
コレクタが前記比較器Ｋの出力に接続され、エミッタが前記固定電位に接続され、ベースに前記第１の制御信号が印加される第２のバイポーラトランジスタと、を備える
ことを特徴とする。【００１３】
前記車載用ＬＥＤ点灯制御装置において、
前記メインスイッチ、前記第１の制御スイッチ、及び、前記第２の制御スイッチは、ユーザーによりオン／オフが操作されるようになっている
ことを特徴とする。【００１４】
前記車載用ＬＥＤ点灯制御装置において、
前記第１のＬＥＤランプは、二輪車の第１のウインカーであり、
前記第２のＬＥＤランプは、前記二輪車の第２のウインカーである
ことを特徴とする。【００１５】
前記車載用ＬＥＤ点灯制御装置において、
前記車載用ＬＥＤ点灯制御装置は、前記二輪車に積載されていることを特徴とする。【００１６】
前記車載用ＬＥＤ点灯制御装置において、
前記第２のＬＥＤ制御部は、前記第１のＬＥＤ制御部と同様の回路構成を有することを特徴とする。【００１７】
前記車載用ＬＥＤ点灯制御装置において、
前記比較部は、非反転入力端子が前記第２の抵抗ＲＢの他端に接続され、反転入力端子が前記第１の抵抗の一端に接続され、出力が前記第１のバイポーラトランジスタのベースに接続されたオペアンプまたはコンパレータであることを特徴とする。【００１８】
前記車載用ＬＥＤ点灯制御装置において、
前記車載用ＬＥＤ点灯制御装置は、
複数の前記第１のＬＥＤランプ及び複数の前記第２のＬＥＤランプを制御するようになっており、
１つの前記第１のＬＥＤ制御部が前記複数の第１のＬＥＤランプを制御し、
１つの前記第２のＬＥＤ制御部が前記複数の第２のＬＥＤランプを制御することを特徴とする。【００１９】
前記車載用ＬＥＤ点灯制御装置において、  
前記変換部は、降圧コンバータ、昇圧スイッチングレギュレータ、シリーズレギュレータ、絶縁型コンバータ、又は、非絶縁型コンバータの何れかである
ことを特徴とする。【００２０】
本発明の一態様に係る実施形態に従った車載用ＬＥＤ点灯制御装置の制御方法は、
複数のＬＥＤランプの点灯を制御するための車載用ＬＥＤ点灯制御装置であって、一端が電源端子に接続され、他端が入力端子に接続されたメインスイッチと、第１のＬＥＤランプの点灯と消灯との切り換えを制御するとともに、第２のＬＥＤランプの点灯と消灯との切り換えを制御するための制御スイッチと、前記入力端子から供給される電源電圧を変換した駆動電圧を出力端子に出力する変換部と、前記駆動電圧が供給され、前記駆動電圧に基づいた第１のＬＥＤ電流の第１のＬＥＤ端子を介した前記第１のＬＥＤランプへの供給を制御することにより、前記第１のＬＥＤランプの点灯と消灯を切り換える第１のＬＥＤ制御部と、前記駆動電圧が供給され、前記駆動電圧に基づいた第２のＬＥＤ電流の第２のＬＥＤ端子を介した前記第２のＬＥＤランプへの供給を制御することにより、前記第２のＬＥＤランプの点灯と消灯を切り換える第２のＬＥＤ制御部と、メイン制御部と、を備える車載用ＬＥＤ点灯制御装置の制御方法であって、
前記メイン制御部が前記入力端子から前記電源電圧が供給されて動作すると、前記メイン制御部が、起動信号により前記変換部の動作を開始させるとともに、前記制御スイッチの操作状態に基づいて、第１の制御信号により前記第１のＬＥＤ制御部の動作を制御し、且つ、第２の制御信号により前記第２のＬＥＤ制御部の動作を制御する
ことを特徴とする。
【発明の効果】
【００２１】
本発明の一態様に係る車載用ＬＥＤ点灯制御装置は、複数のＬＥＤランプの点灯を制御するための車載用ＬＥＤ点灯制御装置であって、一端が電源端子に接続され、他端が入力端子に接続されたメインスイッチと、第１のＬＥＤランプの点灯と消灯との切り換えを制御するとともに、第２のＬＥＤランプの点灯と消灯との切り換えを制御するための制御スイッチと、入力端子から供給される電源電圧を変換（調整）した駆動電圧を出力端子に出力する変換部と、駆動電圧が供給され、駆動電圧に基づいた第１のＬＥＤ電流の第１のＬＥＤ端子を介した第１のＬＥＤランプへの供給を制御することにより、第１のＬＥＤランプの点灯と消灯を切り換える第１のＬＥＤ制御部と、駆動電圧が供給され、駆動電圧に基づいた第２のＬＥＤ電流の第２のＬＥＤ端子を介した第２のＬＥＤランプへの供給を制御することにより、第２のＬＥＤランプの点灯と消灯を切り換える第２のＬＥＤ制御部と、入力端子から電源電圧が供給されて動作すると、起動信号により変換部の動作を開始させるとともに、制御スイッチの操作状態に基づいて、第１の制御信号により第１のＬＥＤ制御部の動作を制御し、且つ、第２の制御信号により第２のＬＥＤ制御部の動作を制御する、メイン制御部と、を備える。【００２２】
このように、本発明の車載用ＬＥＤ点灯制御装置によれば、電源電圧を変換する変換部を複数のＬＥＤランプに対して共有化して小型化を図るとともに、所定のＬＥＤ電流を各ＬＥＤランプに供給することができる。
【図面の簡単な説明】
【００２３】
【図１】図１は、実施例１に係る車載用ＬＥＤ点灯制御装置１００の構成の一例を示す図である。
【図２】図２は、図１に示す車載用ＬＥＤ点灯制御装置１００の変換部Ｘの回路構成の一例を示す回路図である。
【図３】図３は、図１に示す車載用ＬＥＤ点灯制御装置１００の第１のＬＥＤ制御部ＣＯＮ１ａの回路構成の一例を示す回路図である。
【図４】図４は、図１に示す車載用ＬＥＤ点灯制御装置１００の動作波形の一例を示す波形図である。
【図５】図５は、実施例２に係る車載用ＬＥＤ点灯制御装置２００の構成の一例を示す図である。
【発明を実施するための最良の形態】
【００２４】
以下、本発明に係る実施形態について図面に基づいて説明する。
【実施例１】
【００２５】
図１は、実施例１に係る車載用ＬＥＤ点灯制御装置１００の構成の一例を示す図である。【００２６】
例えば、図１に示すように、この第１の実施形態に係る車載用ＬＥＤ点灯制御装置１００は、複数（この図１の例では４個）のＬＥＤランプＬＥＤ１ａ、ＬＥＤ１ｂ、ＬＥＤ２ａ、ＬＥＤ２ｂの点灯を制御するようになっている。【００２７】
なお、電源端子ＴＢにバッテリＢの正極が接続され、接地にバッテリＢの負極が接続されている。  
この車載用ＬＥＤ点灯制御装置１００は、第１のＬＥＤランプＬＥＤ１ａ、第２のＬＥＤランプＬＥＤ２ａ、第３のＬＥＤランプＬＥＤ１ｂ、第４のＬＥＤランプＬＥＤ２ｂ、及び、バッテリＢとともに、例えば、の二輪車に積載される。【００２８】
そして、この場合、例えば、第１のＬＥＤランプＬＥＤ１ａ、第３のＬＥＤランプＬＥＤ１ｂは、二輪車の第１のウインカーである。また、第２のＬＥＤランプＬＥＤ２ａ、第４のＬＥＤランプＬＥＤ２ｂは、二輪車の第２のウインカーである。【００２９】
ここで、車載用ＬＥＤ点灯制御装置１００は、例えば、図１に示すように、メインスイッチＳＷＭと、制御スイッチＳＷと、変換部Ｘと、第１のＬＥＤ制御部ＣＯＮ１ａと、第３のＬＥＤ制御部ＣＯＮ１ｂと、第２のＬＥＤ制御部ＣＯＮ２ａと、第４のＬＥＤ制御部ＣＯＮ２ｂと、メイン制御部Ａと、を備える。なお、この車載用ＬＥＤ点灯制御装置１００に、各ＬＥＤランプＬＥＤ１ａ、ＬＥＤ１ｂ、ＬＥＤ２ａ、ＬＥＤ２ｂを含むように定義してもよい。【００３０】
そして、メインスイッチＳＷＭは、一端が電源端子ＴＢに接続され、他端が入力端子ＴＡに接続されている。【００３１】
このメインスイッチＳＷＭは、オンすることにより、電源端子ＴＢと入力端子ＴＡとの間を導通し、一方、オフすることにより、電源端子ＴＢと入力端子ＴＡとの間を遮断するようになっている。【００３２】
このメインスイッチＳＷＭは、ユーザーによりオン／オフが操作されるようになっている。【００３３】
また、制御スイッチＳＷは、例えば、図１に示すように、第１のＬＥＤランプＬＥＤ１ａの点灯と消灯との切り換えを制御し、第２のＬＥＤランプＬＥＤ２ａの点灯と消灯との切り換えを制御し、第３のＬＥＤランプＬＥＤ１ｂの点灯と消灯との切り換えを制御し、第４のＬＥＤランプＬＥＤ２ｂの点灯と消灯との切り換えを制御するためのものである。【００３４】
そして、例えば、この制御スイッチＳＷは、第１のＬＥＤランプＬＥＤ１ａと第３のＬＥＤランプＬＥＤ１ｂの点灯と消灯との切り換えを同期して制御するとともに、第２のＬＥＤランプＬＥＤ２ａと第４のＬＥＤランプＬＥＤ２ｂの点灯と消灯との切り換えを同期して制御するようになっている。【００３５】
なお、この制御スイッチＳＷは、ユーザーによりオン／オフが操作されるようになっている。【００３６】
ここで、この制御スイッチＳＷは、例えば、図１に示すように、第１の制御スイッチＳＷ１と、第２の制御スイッチＳＷ２と、を含む。【００３７】
そして、第１の制御スイッチＳＷ１及び第２の制御スイッチＳＷ２の一端は、入力端子ＴＡに接続され、第１の制御スイッチＳＷ１及び第２の制御スイッチＳＷ２の他端は、メイン制御部Ａに接続されている。【００３８】
そして、後述のように、メイン制御部Ａは、例えば、第１の制御スイッチＳＷ１及び第２の制御スイッチＳＷ２の他端の電圧（指令信号）に基づいて、第１の制御スイッチＳＷ１及び第２の制御スイッチＳＷ２のオン状態若しくはオフ状態を検出するようになっている。【００３９】
より詳しくは、第１の制御スイッチＳＷ１は、第１のＬＥＤランプＬＥＤ１ａ、第３のＬＥＤランプＬＥＤ１ｂの点灯と消灯との切り換えを制御するようになっている。【００４０】
例えば、第１の制御スイッチＳＷ１がオンしている場合には、第１のＬＥＤランプＬＥＤ１ａ、第３のＬＥＤランプＬＥＤ１ｂの点灯するように、メイン制御部Ａに指令信号が供給される。【００４１】
一方、第１の制御スイッチＳＷ１がオフしている場合には、第１のＬＥＤランプＬＥＤ１ａ、第３のＬＥＤランプＬＥＤ１ｂが消灯するように、メイン制御部Ａへの指令信号が遮断される。【００４２】
また、第２の制御スイッチＳＷ２は、第２のＬＥＤランプＬＥＤ２ａ、第４のＬＥＤランプＬＥＤ２ｂの点灯と消灯との切り換えを制御するようになっている。【００４３】
例えば、第２の制御スイッチＳＷ２がオンしている場合には、第２のＬＥＤランプＬＥＤ２ａ、第４のＬＥＤランプＬＥＤ２ｂの点灯するように、メイン制御部Ａに指令信号が供給される。【００４４】
一方、第２の制御スイッチＳＷ２がオフしている場合には、第２のＬＥＤランプＬＥＤ２ａ、第４のＬＥＤランプＬＥＤ２ｂが消灯するように、メイン制御部Ａへの指令信号が遮断される。【００４５】
なお、これらの第１の制御スイッチＳＷ１、及び、第２の制御スイッチＳＷ２は、ユーザーによりオン／オフが操作されるようになっている。【００４６】
また、図１に示すように、変換部Ｘは、入力端子ＴＡから供給される電源電圧を変換（調整）した駆動電圧ＳＣを出力端子ＴＣに出力するようになっている。そして、この駆動電圧ＳＣは、出力端子ＴＣを介して、第１〜第４のＬＥＤ制御部ＣＯＮ１ａ、ＣＯＮ２ａ、ＣＯＮ１ｂ、ＣＯＮ２ｂに供給されるようになっている。  
この変換部Ｘは、例えば、降圧コンバータ、昇圧スイッチングレギュレータ、シリーズレギュレータ、絶縁型コンバータ、又は、非絶縁型コンバータの何れかである。【００４７】
ここで、図２は、図１に示す車載用ＬＥＤ点灯制御装置１００の変換部Ｘの回路構成の一例を示す回路図である。【００４８】
例えば、この図２に示すように、変換部Ｘは、第１のダイオードＤ１と、第１のコンデンサＣ１と、第１のＭＯＳトランジスタＱ１と、電圧生成部ＶＧと、第２のコンデンサＣ２と、分圧回路ＲＤと、フィードバック制御部Ｆと、ＰＷＭ制御部ＰＣと、を備える。【００４９】
そして、第１のダイオードＤ１は、アノードが電源端子ＴＡに接続されている。【００５０】
また、第１のコンデンサＣ１は、一端が第１のダイオードＤ１のカソードに接続され、他端が固定電位（接地電位）に接続されている。【００５１】
また、第１のＭＯＳトランジスタＱ１は、ソースが第１のダイオードＤ１のカソードに接続されている。【００５２】
また、電圧生成部ＶＧは、第１のＭＯＳトランジスタＱ１のドレインの電圧から駆動電圧ＳＣを生成して出力端子ＴＣに出力するようになっている。【００５３】
この電圧生成回路ＶＧは、例えば、図２に示すように、第２のダイオードＤ２と、コイルＬ１と、第２のコンデンサＣ２と、を含む。【００５４】
そして、第２のダイオードＤ２は、カソードが第１のＭＯＳトランジスタＱ１のドレインに接続され、アノードが固定電位（接地電位）に接続されている。【００５５】
また、コイルＬ１は、一端が第１のＭＯＳトランジスタＱ１のドレインに接続され、他端が出力端子ＴＣに接続されている。【００５６】
また、第２のコンデンサＣ２は、一端が出力端子ＴＣに接続され、他端が固定電位（接地電位）に接続されている。【００５７】
また、分圧回路ＲＤは、出力端子ＴＣの駆動電圧ＳＣを分圧した分圧電圧を出力するようになっている。【００５８】
この分圧回路ＲＤは、例えば、図２に示すように、第１の分圧抵抗Ｒ１と、第２の分圧抵抗Ｒ２と、を含む。【００５９】
そして、第１の分圧抵抗Ｒ１は、一端が出力端子ＴＣに接続され、他端から該分圧電圧が出力されるようになっている。【００６０】
また、第２の分圧抵抗Ｒ２は、一端が第１の分圧抵抗Ｒ１の他端に接続され、他端が固定電位（接地電位）に接続されている。【００６１】
また、フィードバック制御部Ｆは、分圧回路ＲＤが出力する該分圧電圧に基づいたフィードバック信号を出力するようになっている。【００６２】
また、ＰＷＭ制御部ＰＣは、起動信号Ｐにより動作を開始し、フィードバック制御部Ｆが出力する該フィードバック信号に基づいて、第１のＭＯＳトランジスタＱ１をＰＷＭ制御するようになっている。【００６３】
このような構成を有する変換部Ｘは、起動信号Ｐにより動作を開始させ（すなわち、ＰＷＭ制御部ＰＣによる第１のＭＯＳトランジスタＱ１のＰＷＭ制御を開始させ）、入力端子ＴＡから供給される電源電圧を変換（調整）した駆動電圧ＳＣを、出力端子ＴＣに出力するようになっている。【００６４】
特に、ＰＷＭ制御部ＰＣは、フィードバック制御部Ｆが出力する該フィードバック信号に基づいて、第１のＭＯＳトランジスタＱ１をＰＷＭ制御することで、駆動電圧ＳＣが目標値になるように（分圧回路ＲＤが出力する分圧電圧が所定値になるように）制御されることとなる。【００６５】
また、図１に示すように、第１のＬＥＤ制御部ＣＯＮ１ａは、駆動電圧ＳＣが供給され、駆動電圧ＳＣに基づいた第１のＬＥＤ電流の第１のＬＥＤ端子Ｔ１ａを介した第１のＬＥＤランプＬＥＤ１ａへの供給を制御することにより、第１のＬＥＤランプＬＥＤ１ａの点灯と消灯を切り換えるようになっている。【００６６】
また、第３のＬＥＤ制御部ＣＯＮ１ｂは、駆動電圧ＳＣが供給され、駆動電圧ＳＣに基づいた第３のＬＥＤ電流の第３のＬＥＤ端子Ｔ１ｂを介した第３のＬＥＤランプＬＥＤ１ｂへの供給を制御することにより、第３のＬＥＤランプＬＥＤ１ｂの点灯と消灯を切り換えるようになっている。【００６７】
また、第２のＬＥＤ制御部ＣＯＮ２ａは、駆動電圧ＳＣが供給され、駆動電圧ＳＣに基づいた第２のＬＥＤ電流の第２のＬＥＤ端子Ｔ２ａを介した第２のＬＥＤランプＬＥＤ２ａへの供給を制御することにより、第２のＬＥＤランプＬＥＤ２ａの点灯と消灯を切り換えるようになっている。【００６８】
また、第４のＬＥＤ制御部ＣＯＮ２ｂは、駆動電圧ＳＣが供給され、駆動電圧ＳＣに基づいた第４のＬＥＤ電流の第４のＬＥＤ端子Ｔ２ｂを介した第４のＬＥＤランプＬＥＤ２ｂへの供給を制御することにより、第４のＬＥＤランプＬＥＤ２ｂの点灯と消灯を切り換えるようになっている。【００６９】
なお、第２のＬＥＤ制御部ＣＯＮ２ａは、例えば、第１、第３、及び、第４のＬＥＤ制御部ＣＯＮ１ａ、ＣＯＮ１ｂ、ＣＯＮ２ｂと同様の回路構成を有する。【００７０】
ここで、図３は、図１に示す車載用ＬＥＤ点灯制御装置１００の第１のＬＥＤ制御部ＣＯＮ１ａの回路構成の一例を示す回路図である。なお、他の第２ないし第４のＬＥＤ制御部ＣＯＮ１ｂ、ＣＯＮ２ａ、ＣＯＮ２ｂも、例えば、図３に示す第１のＬＥＤ制御部ＣＯＮ１ａの回路構成と同様の回路構成を有する。【００７１】
例えば、この図３に示すように、第１のＬＥＤ制御部ＣＯＮ１ａは、第１の抵抗ＲＡと、ツェナーダイオードＺと、第２の抵抗ＲＢと、比較器Ｋと、第２のＭＯＳトランジスタＱ２と、第１のバイポーラトランジスタＴｒ１と、第３の抵抗ＲＣと、第４の抵抗ＲＤと、第５の抵抗ＲＥと、第２のバイポーラトランジスタＴｒ２と、を備える。【００７２】
そして、第１の抵抗ＲＡは、一端が出力端子ＴＣに接続されている。【００７３】
また、ツェナーダイオードＺは、カソードが第１の抵抗ＲＡの他端に接続され、アノードが固定電位（接地電位）に接続されている。【００７４】
また、第２の抵抗ＲＢは、一端が出力端子ＴＣに接続されている。【００７５】
また、比較器Ｋは、第１の抵抗ＲＡの他端の電圧と第２の抵抗ＲＢの他端の電圧とを比較し、この比較結果に基づいた信号を出力するようになっている。【００７６】
この比較部Ｋは、例えば、図３に示すように、非反転入力端子が第２の抵抗ＲＢの他端に接続され、反転入力端子が第１の抵抗ＲＡの一端に接続され、出力が（第３の抵抗ＲＣを介して）第１のバイポーラトランジスタＴｒ１のベースに接続されたオペアンプである。【００７７】
なお、この比較部Ｋは、非反転入力端子が第２の抵抗ＲＢの他端に接続され、反転入力端子が第１の抵抗ＲＡの一端に接続され、出力が（第３の抵抗ＲＣを介して）第１のバイポーラトランジスタＴｒ１のベースに接続されたコンパレータであってもよい。【００７８】
また、第２のＭＯＳトランジスタＱ２は、ソースが第２の抵抗ＲＢの他端に接続され、ドレインが第１のＬＥＤ端子Ｔ１ａに接続されている。【００７９】
また、第１のバイポーラトランジスタＴｒ１は、コレクタが第２のＭＯＳトランジスタＱ２のゲートに（第４の抵抗ＲＤを介して）接続され、エミッタが固定電位（接地電位）に接続され、ベースが比較器Ｋの出力に（第３の抵抗ＲＣを介して）接続されている。【００８０】
また、第２のバイポーラトランジスタＴｒ２は、コレクタが比較器Ｋの出力に接続され、エミッタが固定電位（接地電位）に接続され、ベースに該第１の制御信号Ｂ１ａが（第５の抵抗ＲＥを介して）印加されるようになっている。【００８１】
ここで、例えば、出力端子ＴＣに駆動電圧ＳＣが供給されている状態において、第１の制御信号Ｂ１ａが第２のバイポーラトランジスタＴｒ２をオフさせる場合には、比較器Ｋの出力により、第１のバイポーラトランジスタＴｒ１がオンし、第２のＭＯＳトランジスタＱ２がオンする。【００８２】
これにより、第１のＬＥＤ制御部ＣＯＮ１ａは、駆動電圧ＳＣに基づいた第１のＬＥＤ電流の第１のＬＥＤ端子Ｔ１ａを介した第１のＬＥＤランプＬＥＤ１ａへ供給して、第１のＬＥＤランプＬＥＤ１ａを点灯させる。【００８３】
一方、出力端子ＴＣに駆動電圧ＳＣが供給されている状態において、第１の制御信号Ｂ１ａが第２のバイポーラトランジスタＴｒ２をオンさせる場合には、第１のバイポーラトランジスタＴｒ１が比較器Ｋの出力に拘わらずオフし、第２のＭＯＳトランジスタＱ２がオフする。【００８４】
これにより、第１のＬＥＤ制御部ＣＯＮ１ａは、駆動電圧ＳＣに基づいた第１のＬＥＤ電流を遮断して、第１のＬＥＤランプＬＥＤ１ａを消灯させる。【００８５】
また、図１に示すように、メイン制御部Ａは、入力端子ＴＡから電源電圧が供給されて動作すると、起動信号Ｐにより変換部Ｘの動作を開始させるようになっている。【００８６】
そして、メイン制御部Ａは、制御スイッチＳＷの操作状態に基づいて、第１の制御信号Ｂ１ａにより第１のＬＥＤ制御部ＣＯＮ１ａの動作を制御し、第２の制御信号Ｂ２ａにより第２のＬＥＤ制御部ＣＯＮ２ａの動作を制御するようになっている。【００８７】
さらに、メイン制御部Ａは、制御スイッチＳＷの操作状態に基づいて、第３の制御信号Ｂ１ｂにより第３のＬＥＤ制御部ＣＯＮ１ｂの動作を制御し、第４の制御信号Ｂ２ｂにより第４のＬＥＤ制御部ＣＯＮ２ｂの動作を制御するようになっている。【００８８】
より詳しくは、このメイン制御部Ａは、第１の制御スイッチＳＷ１の操作状態に基づいて、第１の制御信号Ｂ１ａにより第１のＬＥＤ制御部ＣＯＮ１ａの動作を制御するともに、第３の制御信号Ｂ１ｂにより第３のＬＥＤ制御部ＣＯＮ１ｂの動作を制御するともにようになっている。【００８９】
さらに、メイン制御部Ａは、第２の制御スイッチＳＷ２の操作状態に基づいて、第２の制御信号Ｂ２ａにより第２のＬＥＤ制御部ＣＯＮ２ａの動作を制御するとともに、第４の制御信号Ｂ２ｂにより第４のＬＥＤ制御部ＣＯＮ２ｂの動作を制御するようになっている。【００９０】
なお、既述のように、本実施例では、第１の制御スイッチＳＷ１及び第２の制御スイッチＳＷ２の一端は、入力端子ＴＡに接続され、第１の制御スイッチＳＷ１及び第２の制御スイッチＳＷ２の他端は、メイン制御部Ａに接続されている。【００９１】
この場合、メイン制御部Ａは、第１の制御スイッチＳＷ１及び第２の制御スイッチＳＷ２の他端の電圧に基づいて、第１の制御スイッチＳＷ１及び第２の制御スイッチＳＷ２のオン状態若しくはオフ状態を検出するようになっている。【００９２】
なお、この車載用ＬＥＤ点灯制御装置１００は、例えば、複数の第１のＬＥＤランプＬＥＤ１ａ及び複数の第２のＬＥＤランプＬＥＤ２ａを制御するようになっていてもよい。【００９３】
この場合、例えば、１つの第１のＬＥＤ制御部ＣＯＮ１ａが複数の第１のＬＥＤランプＬＥＤ１ａを制御し、１つの第２のＬＥＤ制御部ＣＯＮ２ａが複数の第２のＬＥＤランプＬＥＤ２ａを制御することとなる。【００９４】
以上のような構成を有する車載用ＬＥＤ点灯制御装置１００は、電源電圧を変換する変換部Ｘを複数のＬＥＤ制御部ＣＯＮ１ａ、ＣＯＮ１ｂ、ＣＯＮ２ａ、ＣＯＮ２ｂ（複数のＬＥＤランプＬＥＤ１ａ、ＬＥＤ１ｂ、ＬＥＤ２ａ、ＬＥＤ２ｂ）に対して共有化して小型化が可能な構成となっている。【００９５】
次に、以上のような構成を有する車載用ＬＥＤ点灯制御装置１００の制御方法の一例について説明する。【００９６】
ここで、図４は、図１に示す車載用ＬＥＤ点灯制御装置１００の動作波形の一例を示す波形図である。なお、この図４において、第１ないし第４の制御信号のレベル（論理）は、一例であり、車載用ＬＥＤ点灯制御装置１００が同様の動作を実施できれば、その論理が反転し、また、異なっていてもよい。【００９７】
図４に示すように、例えば、時刻ｔ１において、ユーザーによりインスイッチＳＷＭがオンに操作されると、メイン制御部Ａは、入力端子ＴＡから電源電圧が供給されて動作する。【００９８】
その後、時刻ｔ２において、メイン制御部Ａは、起動信号Ｐにより変換部Ｘの動作を開始させる。【００９９】
これにより、変換部Ｘは、入力端子ＴＡから供給される電源電圧を変換（調整）した駆動電圧ＳＣを出力端子ＴＣに出力する。そして、この駆動電圧ＳＣは、出力端子ＴＣを介して、第１〜第４のＬＥＤ制御部ＣＯＮ１ａ、ＣＯＮ２ａ、ＣＯＮ１ｂ、ＣＯＮ２ｂに供給される。  
その後、時刻ｔ３において、ユーザーにより第１の制御スイッチＳＷ１がオンに操作されると、第１のＬＥＤランプＬＥＤ１ａ、第３のＬＥＤランプＬＥＤ１ｂが点灯するように、メイン制御部Ａに指令信号が供給される。【０１００】
そして、メイン制御部Ａは、第１の制御信号Ｂ１ａにより第１のＬＥＤ制御部ＣＯＮ１ａの動作を制御するともに、第３の制御信号Ｂ１ｂにより第３のＬＥＤ制御部ＣＯＮ１ｂの動作を制御する。【０１０１】
これにより、第１、第３のＬＥＤ制御部ＣＯＮ１ａ、ＣＯＮ１ｂは、第１、第３のＬＥＤランプＬＥＤ１ａ、ＬＥＤ１ｂを点灯させる（図４の例では、第１、第３の制御信号Ｂ１ａ、Ｂ１ｂのオンデューティにより点滅するように制御されている）。【０１０２】
その後、時刻ｔ４において、ユーザーにより第２の制御スイッチＳＷ２がオンに操作されると、第２のＬＥＤランプＬＥＤ２ａ、第４のＬＥＤランプＬＥＤ４ｂが点灯するように、メイン制御部Ａに指令信号が供給される。【０１０３】
そして、メイン制御部Ａは、第２の制御信号Ｂ２ａにより第２のＬＥＤ制御部ＣＯＮ２ａの動作を制御するともに、第４の制御信号Ｂ２ｂにより第４のＬＥＤ制御部ＣＯＮ４ｂの動作を制御する。【０１０４】
これにより、第２、第４のＬＥＤ制御部ＣＯＮ２ａ、ＣＯＮ２ｂは、第２、第４のＬＥＤランプＬＥＤ２ａ、ＬＥＤ２ｂを点灯させる（図４の例では、第２、第４の制御信号Ｂ２ａ、Ｂ２ｂのオンデューティにより点滅するように制御されている）。【０１０５】
以上の車載用ＬＥＤ点灯制御装置１００の制御方法により、ユーザーのメインスイッチＳＷＭと制御スイッチＳＷの操作により、第１ないし第４のＬＥＤランプＬＥＤ１ａ、ＬＥＤ１ｂ、ＬＥＤ２ａ、ＬＥＤ２ｂが点灯されることとなる。【０１０６】
以上の本実施例１に係る車載用ＬＥＤ点灯制御装置１００によれば、電源電圧を変換する変換部を複数のＬＥＤランプに対して共有化して小型化を図るとともに、所定のＬＥＤ電流を各ＬＥＤランプに供給することができる。
【実施例２】
【０１０７】
既述の実施例１の車載用ＬＥＤ点灯制御装置１００では、第１の制御スイッチＳＷ１及び第２の制御スイッチＳＷ２の一端は、入力端子ＴＡに接続され、第１の制御スイッチＳＷ１及び第２の制御スイッチＳＷ２の他端は、メイン制御部Ａに接続されている。【０１０８】
しかし、第１の制御スイッチＳＷ１及び第２の制御スイッチＳＷ２の一端は、固定電位（接地電位）に接続され、第１の制御スイッチＳＷ１及び第２の制御スイッチＳＷ１の他端は、メイン制御部Ａに接続されているようにしてもよい。【０１０９】
ここで、図５は、実施例２に係る車載用ＬＥＤ点灯制御装置２００の構成の一例を示す図である。【０１１０】
この図５に示すように、実施例２に係る車載用ＬＥＤ点灯制御装置２００は、メインスイッチＳＷＭと、制御スイッチＳＷと、変換部Ｘと、第１のＬＥＤ制御部ＣＯＮ１ａと、第３のＬＥＤ制御部ＣＯＮ１ｂと、第２のＬＥＤ制御部ＣＯＮ２ａと、第４のＬＥＤ制御部ＣＯＮ２ｂと、メイン制御部Ａと、を備える。【０１１１】
そして、第１の制御スイッチＳＷ１及び第２の制御スイッチＳＷ２の一端は、固定電位（接地電位）に接続され、第１の制御スイッチＳＷ１及び第２の制御スイッチＳＷ１の他端は、メイン制御部Ａに接続されている。【０１１２】
そして、メイン制御部Ａは、第１の制御スイッチＳＷ１及び第２の制御スイッチＳＷ２の他端の電圧に基づいて、第１の制御スイッチ及び前記第２の制御スイッチのオン状態若しくはオフ状態を検出するようになっている。【０１１３】
この車載用ＬＥＤ点灯制御装置２００のその他の構成及び制御方法は、実施例１の図１に示す車載用ＬＥＤ点灯制御装置１００と同様である。【０１１４】
すなわち、本実施例２に係る車載用ＬＥＤ点灯制御装置２００によれば、実施例１と同様に、電源電圧を変換する変換部を複数のＬＥＤランプに対して共有化して小型化を図るとともに、所定のＬＥＤ電流を各ＬＥＤランプに供給することができる。【０１１５】
以上のように、本発明の一態様に係る車載用ＬＥＤ点灯制御装置は、複数のＬＥＤランプの点灯を制御するための車載用ＬＥＤ点灯制御装置であって、一端が電源端子ＴＢに接続され、他端が入力端子ＴＡに接続されたメインスイッチＳＷＭと、第１のＬＥＤランプ（ＬＥＤ１ａ）の点灯と消灯との切り換えを制御するとともに、第２のＬＥＤランプ（ＬＥＤ２ａ）の点灯と消灯との切り換えを制御するための制御スイッチＳＷと、入力端子ＴＡから供給される電源電圧を変換（調整）した駆動電圧ＳＣを出力端子ＴＣに出力する変換部Ｘと、駆動電圧ＳＣが供給され、駆動電圧に基づいた第１のＬＥＤ電流の第１のＬＥＤ端子Ｔ１ａを介した第１のＬＥＤランプ（ＬＥＤ１ａ）への供給を制御することにより、第１のＬＥＤランプの点灯と消灯を切り換える第１のＬＥＤ制御部ＣＯＮ１ａと、駆動電圧ＳＣが供給され、駆動電圧に基づいた第２のＬＥＤ電流の第２のＬＥＤ端子Ｔ２ａを介した第２のＬＥＤランプ（ＬＥＤ２ａ）への供給を制御することにより、第２のＬＥＤランプの点灯と消灯を切り換える第２のＬＥＤ制御部ＣＯＮ２ａと、入力端子から電源電圧が供給されて動作すると、起動信号Ｐにより変換部Ｘの動作を開始させるとともに、制御スイッチＳＷの操作状態に基づいて、第１の制御信号Ｂ１ａにより第１のＬＥＤ制御部ＣＯＮ１ａの動作を制御し、且つ、第２の制御信号Ｂ２ａにより第２のＬＥＤ制御部ＣＯＮ２ａの動作を制御する、メイン制御部Ａと、を備える。【０１１６】
このように、本発明の車載用ＬＥＤ点灯制御装置によれば、電源電圧を変換する変換部を複数のＬＥＤランプに対して共有化して小型化を図るとともに、所定のＬＥＤ電流を各ＬＥＤランプに供給することができる。【０１１７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１８】
１００  車載用ＬＥＤ点灯制御装置
ＬＥＤ１ａ  第１のＬＥＤランプ
ＬＥＤ２ａ  第２のＬＥＤランプ
ＬＥＤ１ｂ  第３のＬＥＤランプ
ＬＥＤ２ｂ  第４のＬＥＤランプ
Ｂ  バッテリ
ＳＷＭ  インスイッチ
ＳＷ  制御スイッチ
Ｘ  変換部
ＣＯＮ１ａ  第１のＬＥＤ制御部
ＣＯＮ１ｂ  第３のＬＥＤ制御部
ＣＯＮ２ａ  第２のＬＥＤ制御部
ＣＯＮ２ｂ  第４のＬＥＤ制御部
Ａ  メイン制御部Ａ
Ｄ１  第１のダイオード
Ｃ１  第１のコンデンサ
Ｑ１  第１のＭＯＳトランジスタ
ＶＧ  電圧生成部
Ｃ２  第２のコンデンサ
ＲＤ  分圧回路
Ｆ  フィードバック制御部
ＰＣ  ＰＷＭ制御部
ＲＡ  第１の抵抗
Ｚ  ツェナーダイオード
ＲＢ  第２の抵抗
Ｋ  比較器
Ｑ２  第２のＭＯＳトランジスタ
Ｔｒ１  第１のバイポーラトランジスタ
ＲＣ  第３の抵抗
ＲＤ  第４の抵抗
ＲＥ  第５の抵抗
Ｔｒ２  第２のバイポーラトランジスタ
【要約】
車載用ＬＥＤ点灯制御装置は、入力端子から供給される電源電圧を変換した駆動電圧を出力端子に出力する変換部と、駆動電圧が供給され、駆動電圧に基づいた第１のＬＥＤ電流の第１のＬＥＤ端子を介した第１のＬＥＤランプへの供給を制御することにより、第１のＬＥＤランプの点灯と消灯を切り換える第１のＬＥＤ制御部と、駆動電圧が供給され、駆動電圧に基づいた第２のＬＥＤ電流の第２のＬＥＤ端子を介した第２のＬＥＤランプへの供給を制御することにより、第２のＬＥＤランプの点灯と消灯を切り換える第２のＬＥＤ制御部と、入力端子から電源電圧が供給されて動作すると、起動信号により変換部の動作を開始させるとともに、制御スイッチの操作状態に基づいて、第１の制御信号により第１のＬＥＤ制御部の動作を制御し、且つ、第２の制御信号により第２のＬＥＤ制御部の動作を制御する、メイン制御部と、を備える。【図１】
0006580794.tif 000002
【図２】
0006580794.tif 000003
【図３】
0006580794.tif 000004
【図４】
0006580794.tif 000005
【図５】
0006580794.tif 000006